【事件の表示】
　特許第２７３２１０３号「パチンコ機」の特許に対する特許異議の申立てについて、次のとおり決定する。
【結論】
　特許第２７３２１０３号の特許を維持する。
【理由】
（１）手続の経緯および本件発明
　特許第２７３２１０３号に係る発明は、昭和６３年１２月２７日に出願され、平成９年１２月２６日に設定登録された後、その特許の請求項１に係る発明（以下、「本件発明」という。）について平成１０年９月２５日に、特許異議申立人河井清悦より特許異議の申立がなされたものであって、本件発明は、その特許請求の範囲の請求項１に記載された事項により特定される次のとおりのものである。
「遊技部の特定位置を流下する打球を検出する特定球検出手段と、複数の識別情報を可変表示可能な可変表示部を有する可変表示装置と、上記特定球検出手段からの検出信号に基づいて上記可変表示装置の可変表示部に可変表示を行わせると共に所定の停止条件の成立に基づき可変表示を停止させる補助遊技を行う補助遊技制御手段と、遊技者にとって不利な第１状態と遊技者にとって有利な第２状態とに変換可能な変動入賞装置と、上記補助遊技の遊技結果態様が特定結果態様であることを条件として、上記変動入賞装置を第２状態へ変換する特定遊技を起生する特定遊技制御手段と、を備えた遊技機において、
　上記可変表示装置には個別に可変表示可能な第１可変表示部と第２可変表示部とを各々有し、上記特定球検出手段は、上記第１可変表示部の可変表示を行わせる第１検出信号を出力する第１特定球検出手段と、第２可変表示部の可変表示を行わせる第２検出信号を出力する第２特定球検出手段と、を有し、上記補助遊技制御手段は上記第１可変表示部および第２可変表示部に各々対応する第１特定球検出手段および第２特定球検出手段からの第１検出信号および第２検出信号に基づき夫々第１補助遊技および第２補助遊技を行い、上記特定遊技制御手段は、上記第１可変表示部および第２可変表示部に各々対応する第１補助遊技および第２補助遊技の特定結果態様に対して夫々の補助遊技毎に予め定められた遊技価値の異なる第１特定遊技および第２特定遊技を起生し、上記可変表示装置は、上記第１可変表示部および第２可変表示部を一体的に構成して遊技部の略中央に配設し、該第１可変表示部と第２可変表示部とを個々に区別可能に構成すると共に、第１可変表示部と第２可変表示部とに表示される識別情報の表示領域数を異ならしめるように構成したことを特徴とする遊技機。」（以下、「本件発明」という。）
　（２）特許異議申立ての理由の概要
　特許異議申立人河井清悦は、証拠として甲第１号証（特開昭６３−２９２９８４号公報）、および甲第２号証（実願昭６１−９２８７１号（実開昭６２−２０２８８４号公報）のマイクロフィルム、文明細書及び図面）を提出し、本件発明は、甲第１〜２号証に記載された発明から当業者が容易に発明をすることができたものであるから特許法第２９条第２項の規定に違反してなされたものであり、本件発明の特許を取り消すべきである旨、主張している。
　（３）特許異議申立人が提出した甲各号証記載の発明
　甲第１号証はパチンコ機に係るものであり、同号証には、「本発明のパチンコ遊技機は、遊技領域内に、打球を受入れないか受入れ難い第１状態から打球を受け入れ易い第２状態に変換可能な第１変動入賞装置及び第２変動入賞装置と、複数の可変表示器を組合せた可変表示装置と、前記複数の可変表示器を全体として又は部分的に作動させる第１の特定入賞口と、該第１の特定入賞口への入賞により作動された可変表示器が停止した際に、当該可変表示器を含む可変表示装置の表示内容が予め定めた表示態様と一致したとき、権利発生として第１変動入賞装置を第１状態から第２状態にさせる第１の判定手段と、前記複数の可変表示器の特定の可変表示器を作動させる第２の特定入賞口と、該第２の特定入賞口への入賞により作動された可変表示器が停止した際に、当該可変表示器を含む可変表示装置の表示内容が予め定めた表示態様と一致したとき、権利発生として第１変動入賞装置を第１状態から第２状態にさせる第２の判定手段と、権利発生後に第１変動入賞装置に入賞球が発生した場合、第２変動入賞装置を第１状態から第２状態へ一定時間だけ変換動作させ、この第２変動入賞装置の変換動作を、第１変動入賞装置に入賞した遊技球数分だけ継続させる権利保持手段とを設けたことを特徴とするものである。
　第１の特定入賞口へ入賞した場合、複数の可変表示器は、それが全体として又は部分的に作動させられる。そして、その作動された可変表示器が停止した際に、第１の判定手段により、当該可変表示器を含む可変表示装置の表示内容が予め定めた表示態様と一致したかどうかが判断される。一致していれば、権利発生として、第１変動入賞装置が第１状態から第２状態に変換される。
　一方、第２の特定入賞口へ入賞した場合、複数の可変表示器は、そのうちの特定の可変表示器が作動させられる。そして、その作動された特定の可変表示器が停止した際に、第２の判定手段により、当該特定の可変表示器を含む可変表示装置の表示内容が予め定めた表示態様と一致したかどうかが判断される。一致していれば、権利発生として、第１変動入賞装置が第１状態から第２状態に変換される。
　かくして権利が発生した後に於て第１変動入賞装置に入賞球が発生した場合、権利保持手段によって、第２変動入賞装置を第１状態から第２状態へ一定時間だけ変換動作させられる権利が得られ、しかも、この第２変動入賞装置の変換動作は、第１変動入賞装置に入賞した遊技球数分だけ継続させられる。」（第２頁右上欄第１３行〜右下欄第２０行）、および、
「可変表示装置３は、３桁の主可変表示器Ａ、Ｂ、Ｃの他に、中央の可変表示器Ｂの上下に別の補助可変表示器Ｄ、Ｅを備えており、補助可変表示器Ｄは特定入賞口７によって、補助可変表示器Ｅは特定入賞口８によって専ら作動される。つまり、まず特定入賞口９に入賞し３桁の主可変表示器Ａ、Ｂ、Ｃが”７７７”と揃って停止した場合、他に優先して主可変表示器Ａ、Ｂ、Ｃによる権利発生が与えられる。そして、この権利が行使された後に於て、もし、特定入賞口７に入賞して上部の補助可変表示器Ｄが”７”で停止した場合や、或いは特定入賞口８に入賞して下部の補助可変表示器Ｅが”７”で停止した場合には、再度、大当りとして権利発生が認められるのである。第１３図は、かかる動作を行なわせる制御例を示すフロー図である。補助可変表示器Ｄ、Ｅを第１図の可変表示器Ａ、Ｂに対応させて考えれば、第８図とほぼ同じになるので、第８図と同じステップには同一の参照番号を付してある。第８図と異なる点は、第１に、当該デジタル表示器Ｄ、Ｅが停止した後、その表示内容が”７”かどうかを判断するステップ３．１０、３．１１が付加されていること、第２に、特定入賞口９に入賞して権利が発生した場合、これを他に優先させるため、ステップ３．１０、３．１１に次いで、デジタル表示器Ａ、Ｂ、Ｃが作動中かどうかをチェックし、そうでなければデジタル表示器Ｄ、Ｅによる権利発生を許すこととしていることである。後者の点は、権利発生はあくまでデジタル表示器Ａ、Ｂ、Ｃを中心に判断し、動作中のデジタル表示器Ａ、Ｂ、Ｃが停止して７７７と揃ったら、それだけで権利発生を行なわせ、その際のデジタル表示器Ｄ、Ｅの動作は無視するというものである。尚、第８図中に於る記憶表示に関するステップ（０．１３、０．１７等）は不要になるため省いてある。」（第１１頁右下欄第１２行〜第１２頁右上欄第７行）が記載されている。
　甲第２号証は、入賞球装置に係るものであり、同号証のマイクロフィルムには、「本考案は、ぱちんこ遊技機、更に詳しくは電動役物（例えばデジタル表示部）を複数個設けることで遊技性を一層向上させるぱちんこ遊技機に関するものである。」（第１頁第１５行及び第１７行）、「第１図は電動役物を２個、大入賞口を１個設けた場合の正面説明図であり、（１），（１’）はぱちんこ遊技盤（２）上中央に並設される電動役物であり、同電動役物（１），（１’）には、左，中，右の順で図柄（数字、文字その他の記号を含む。）が表示される表示部（３），（３’）が設けられ、又上記電動役物（１），（１’）の下方部には大入賞口（４）が設けられると共に、同大入賞口（４）の両端部及び上記電動役物（１），（１’）との間に上記表示部（３），（３’）に表示される図柄を作動させる作動用入賞口（５），（５’），（５”）をそれぞれ配設するものである。なお上記作動用入賞口（５），（５’），（５”）の個数及び配設位置は、これに限定するものでは無い。　又（６），（６）は個別に設けられる入賞口（７），（７）は上記電動役物（１），（１’）とは別個に設けられるチューリップ式役物である。そこで上記作動用入賞口（５），（５’），（５”）のいずれか１つに遊技球が入賞すると上記電動役物（１），（１’）の表示部（３），（３’）に表示される図柄が作動する方式、あるいは上記表示部（３），（３’）のいずれかが作動する方式等が考えられ、例えば上記作動用入賞口（５）に遊技球が入賞すると上記表示部（３）が作動し、上記作動用入賞口（５’）に遊技球が入賞すると上記表示部（３’）が作動し、上記作動用入賞口（５”）に遊技球が入賞されると上記表示部（３），（３’）が同時に作動する様に種々のパターンが考えられる。そして上記表示部（３），（３’）に表示される図柄（例えばデジタル式では）　左，中，右の順で同数が並ぶと上記電動役物（１），（１’）が作動し、上記大入賞口（４）を一定時間開口させ、遊技球を次々と入賞させ易くするものである。なお上記表示部（３），（３’）に表示される数字が同時に同数に並んだ場合は、上記大入賞口（４）を２回作動させる様にしておく事が望ましい。」（第３頁第１８行〜第５頁第１２行）、「次に第２図に示すのは電動役物と大入賞口を同数設けた場合の正面説明図であり、この場合には、上記説明したパターンに加え、上記電動役物（１）の作動によって上記大入賞口（４）の作動、あるいは上記電動役物（１’）によって上記大入賞口（４’）が作動する様に個別的に作動する方式、又上記電動役物（１）によって上記大入賞口（４），（４’）が作動する様に、総合的に作動する方式等、第１図に比較して大幅にパターンの数が考えられるものである。」（第５頁第１３行〜第６頁第１行）、および、「以上述べて来た如く本考案では、電動役物及び大入賞口を複数個設ける事に依り、上記電動役物と大入賞口との関連方式を種々考えられる事で、遊技者の好奇心を非常に高め、更には慣れによる娯楽性の低下を防止する事が出来る等の種々の効果を奏するものである。」（第６頁第３行〜同第８行）、が記載されている。
（４）対比・判断
　本件発明と甲第１号証に記載の発明とを対比すると、甲第１号証記載の発明の
「特定入賞口の作動検出器」、
「可変表示装置」、
「通常遊技状態での特定入賞口への入賞による可変表示器の制御手段」、
「変動入賞装置」、
「特別遊技態様での変動入賞装置の開成の制御手段」が、それぞれ本件発明の
「特定球検出手段」、
「可変表示部を有する可変表示手段」、
「補助遊技制御手段」、
「変動入賞装置」、
「特定遊技制御手段」に相当する。
　よって、両者は「遊技部の特定位置を流下する打球を検出する特定球検出手段と、複数の識別情報を可変表示可能な可変表示部を有する可変表示装置と、上記特定球検出手段からの検出信号に基づいて上記可変表示装置の可変表示部に可変表示を行わせると共に所定の停止条件の成立に基づき可変表示を停止させる補助遊技を行う補助遊技制御手段と、遊技者にとって不利な第１状態と遊技者にとって有利な第２状態とに変換可能な変動入賞装置と、上記補助遊技の遊技結果態様が特定結果態様であることを条件として、上記変動人賞装置を第２状態へ変換する特定遊技を起生する特定遊技制御手段と、を備えた遊技機。」である点で一致する。
　しかしながら、本件発明が「上記特定遊技制御手段は、上記第１可変表示部および第２可変表示部に各々対応する第１補助遊技および第２補助遊技の特定結果態様に対して夫々の補助遊技毎に予め定められた遊技価値の異なる第１特定遊技および第２特定遊技を起生し、」の構成を有するのに対して、少なくとも甲第１号証に記載の発明はこの構成を有さないという点、で両者は相違する（以下、「相違点」という。）。
　上記相違点について考察すると、甲第２号証には、「遊技盤上に電動役物（例えばデジタル表示部）を複数個設けて遊技性を向上させるぱちんこ遊技機」に関するものについては記載されているが、遊技性を向上させるものとして上記相違点に相当するような遊技価値の異なる特定遊技を起生する構成までは明記しでいないし、また、その構成を示唆する記載もない。
　したがって、本件発明は、甲第１号証に記載された発明に甲２号証に記載された事項を適用してそれらの記載から容易に想到できるものであるとは認められない。
　そして、本件発明は上記の相違点の構成を有することで、その明細書に記載されたとおりの「本発明に係る遊技機によれば、第１特定球検出手段もしくは第２特定球検出手段が遊技部の特定位置を流下する打球を検出すると、該打球を検出した特定球検出手段に応じて、第１補助遊技もしくは第２補助遊技を行うように、補助遊技制御手段が可変表示装置の第１可変表示部もしくは第２可変表示部の可変表示を制御し、第１補助遊技もしくは第２補助遊技の遊技結果態様が特定結果態様であった場合には、特定遊技制御手段が、第１補助遊技もしくは第２補助遊技毎に予め定められた遊技価値の異なる第１特定遊技もしくは第２特定遊技を起生するので、可変表示装置の第１可変表示部もしくは第２可変表示部を用いた遊技に多様性を与えることができる。」という、本件発明に特有の作用・効果を奏するものと認められる。
（５）むすび
　したがって、特許異議申立ての理由及び甲第１〜２号証によっては、本件の特許請求の範囲の請求項１に係る発明の特許を取り消すことはできない。
　また、他に本件発明についての特許を取り消すべき理由を発見しない。
　よって、結論のとおり決定する。
【異議決定日】
平成１１年８月２５日（１９９９．８．２５）